(57)【要約】      （修正有）【課題】比重が異なる２種類の材料でヘッドを構成し、またシャフト前端に調整可能なネックを設置することで、使用者が正確な打球ができるようにするゴルフクラブの提供。【解決手段】本考案は一種のゴルフクラブ構造であり、主にグリップと接合端によりシャフトを構成し、これに接合部品を組み合わせることで、クラブヘッドをシャフトに接合させるものである。当該ヘッドは比重が異なる２種類の材料により作られる。そしてヘッド全体では管状体を用い、一端が面取り部をなしている。ヘッド両端の開口部は大小異なる２つの円柱体に対応して設置され、円柱体は管状体内に密着して組み込まれる。シャフトとヘッドが組み合わさった直角Ｔ字型設計により、使用者はより正確な打球ができるようになり、更にクラブをスイングする回数も減少できる。【選択図】図２
0003123570.tif 000002
【実用新案登録請求の範囲】
【請求項１】
当該棒状のシャフトとヘッド等の部材により構成され、並びに接合部品を用いて組み合わされた直角Ｔ字型のクラブをなし、当該ヘッドは主に比重が異なる２種類の金属材料によりそれぞれ作られた、管状体と２つの円柱体により構成され、はめ合わせの方式により２つの円柱体はそれぞれ管状体開口部に組み合わされ、ヘッドの比重も均衡がとれ、更に正確な打球ができるようになることを特徴とする一種のゴルフクラブ。
【請求項２】
当該シャフト先端はエマルション又は皮革等の材料を設け、グリップとして用いられることを特徴とする請求項１記載のゴルフクラブ。
【請求項３】
当該管状体は一端が面取り部をなすことを特徴とする請求項１記載のゴルフクラブ。
【請求項４】
当該該ヘッドは面取り部をなす円柱体に複数の凹凸模様を設けることを特徴とする請求項１記載のゴルフクラブ。
【請求項５】
当該管状体両端にある開口部は、機械加工の方式が用いられ、開口部は口径が管状体中央部の内壁より大きいことを特徴とする請求項１記載のゴルフクラブ。
【請求項６】
当該接合部品ははめ込み方式を用い、多種のヘッドが交換できるようになっていることを特徴とする請求項１に記載のゴルフクラブ。
【考案の詳細な説明】
【技術分野】
【０００１】
本考案は一種のゴルフクラブ構造であり、主に比重が異なる２種類の材料によりヘッドを構成し、ヘッド外径とゴルフボールの大きさを等しくし、シャフト前端に調整可能なネックを設置する。そのため使用者はより正確な打球ができるようになる。
【背景技術】
【０００２】
一般に見られるゴルフクラブは合計で１２種あり、使用する場所により対応させるクラブを取り替えて用いる。一般的にはクラブとパター等の２種類の形式に分けられ、これにより打球の方向を調整する。
【０００３】
そのうち、特許文献１「ゴルフパター」（図１に示したもの）で使用される周知のパターは、主にシャフト部（Ａ）、連結湾曲管（Ｂ）、パターヘッド（Ｃ）により構成される。このパターでは該連結湾曲管（Ｂ）を用いシャフト部（Ａ）とパターヘッド（Ｃ）の組み立てと取り外しを行う。またパターヘッド（Ｃ）には、連結湾曲管（Ｂ）をはめ込むための固定座（Ｃ１）を設ける。固定座（Ｃ１）は複数の接合穴（Ｃ２）を設け、これを打球の重心を調整するのに用いる。これにより使用者がシャフト部（Ａ）を握りスイングする時には、パターヘッド（Ｃ）でゴルフボールが打て、ボールが移動する目的地に到達できるようになる。
【０００４】
上記のパター構造については、パターヘッド（Ｃ）が長方形であり、重心は該長方形部の中央部分にある。しかしシャフト部（Ａ）はパターヘッド（Ｃ）の重心位置とは組み合わさっていないため、パター全体の重心がある程度偏ってしまう。更に一般使用者がスウィングする姿勢も人により異なる。これらの原因により使用者が打球をする時には、ゴルフボールは予測した移動軌跡から逸脱しやすくなり、ボールの命中率も低下する。そのため初心者がパターを使い始めたばかりの時は上達しにくく、常にスウィングの姿勢を調節するか、ボールが飛ぶ方向と速度を経験に頼って調整しなければならない。結果、多くの初心者が途中であきらめてしまい、これがゴルフの普及を妨げる目に見えない障壁となっている。
【０００５】
上述した周知のゴルフパターでは構造上、打ったボールが移動経路を逸脱してしまうため、この欠点についてまさに改良を加える必要があると言えよう。
【０００６】
【特許文献１】台湾特許公告第２７１６２２号明細書
【考案の開示】
【考案が解決しようとする課題】
【０００７】
本発明の主要な目的は、上記の問題を解決し一種のゴルフクラブ構造を提供することにある。主に比重が異なる２種類の材料でヘッドを構成し、またシャフト前端に調整可能なネックを設置することで、使用者が正確な打球ができるようにするものである。
【０００８】
当該ゴルフクラブは棒状をなし、グリップ、接合部及びヘッドにより構成される。当該ヘッドは比重が比較的軽い材料を用い管状体をなしたもので、その管状体は外径がボール外径と等しく、一端は面取り部をなしている。そして両端の開口部では機械加工の方式が用いられ、比重が比較的重い２つの材料がそれぞれ開口部に組み合わされている。また、該ネックは調整可能な接合部品によりヘッド交換が行えるものである。これにより当該クラブはシャフトとヘッドが組み合わさった後は、直角Ｔ字型をなす。使用者はこれを用いることで、打球時にヘッドと飛球方向の慣性を一致させることができ、力と方向も制御しやすくなる。そしてゴルフボールの移動経路は、ヘッドの比重不均衡により逸脱することがなくなり、またヘッドとボールの外径も一致しているため、使用者はスイング時により正確な打球ができ、命中率等も向上される。更にこのクラブは構造設計上、使用者の利き手にかかわらず簡単に上達できるものである。
【０００９】
また、上記のゴルフクラブ構造により、使用者はグリーン、ラフ又はバンカーに入ったボールに対応でき、そして最後にグリーンで必要なパッティングを行うのにも便利で簡単である。更には該ヘッドの特殊構造を用いて、パッティング時に頭をもたげない習慣も身につくのである。
【課題を解決するための手段】
【００１０】
請求項１の考案は、当該棒状のシャフトとヘッド等の部材により構成され、並びに接合部品を用いて組み合わされた直角Ｔ字型のクラブをなし、当該ヘッドは主に比重が異なる２種類の金属材料によりそれぞれ作られた、管状体と２つの円柱体により構成され、はめ合わせの方式により２つの円柱体はそれぞれ管状体開口部に組み合わされ、ヘッドの比重も均衡がとれ、更に正確な打球ができるようになることを特徴とする一種のゴルフクラブとしている。
請求項２の考案は、当該シャフト先端はエマルション又は皮革等の材料を設け、グリップとして用いられることを特徴とする請求項１記載のゴルフクラブ構造としている。
請求項３の考案は、当該管状体は一端が面取り部をなすことを特徴とする請求項１記載のゴルフクラブ構造としている。
請求項４の考案は、当該該ヘッドは面取り部をなす円柱体に複数の凹凸模様を設けることを特徴とする請求項１記載のゴルフクラブ構造のとしている。
請求項５の考案は、当該管状体両端にある開口部は、機械加工の方式が用いられ、開口部は口径が管状体中央部の内壁より大きいことを特徴とする請求項１記載のゴルフクラブ構造としている。
請求項６の考案は、当該接合部品ははめ込み方式を用い、多種のヘッドが交換できるようになっていることを特徴とする請求項１に記載のゴルフクラブ構造としている。
【考案の効果】
【００１１】
本考案はゴルフクラブ。主に比重が異なる２種類の材料でヘッドを構成し、またシャフト前端に調整可能なネックを設置することで、使用者が正確な打球ができるようにするものである。
【考案を実施するための最良の形態】
【００１２】
図２、３に示したのは、本考案であるゴルフクラブの立体分解図及び立体完成図である。このゴルフクラブ全体は主にシャフト（１）とヘッド（２）等の２部分で構成され、ヘッド（２）の特殊な構造設計により、打ち込まれたボールの移動経路が歪みにくくなる。そのため使用者はスウィング時により正確な打球ができ、また特定の使用場所で必要なチップショット能力も向上するのである。
【００１３】
当該シャフト（１）は軽合金材料で設計された棒状のもので、全体的に下部が細く上部が太い形状をなしている。上部先端の太い部分はグリップ（１１）であり、このグリップ（１１）はエマルション又は皮革等の材料によりコーティングされている。これにより、スウィング時に使用者の手が発汗しシャフト（１）が簡単に手から抜け出てしまうのを防ぐ。シャフト（１）前端には接合部（１２）が作られ、接合部品（３）の使用と合わせて、多種のヘッド（２）が交換できるようになっている。シャフト（１）とヘッド（２）は組み合わされた後、直角Ｔ字型のゴルフクラブを形作る。この形状により、使用者はパッティング時にヘッド（２）と飛球方向の慣性を一致させることができ、力と方向も制御しやすくなる。そしてゴルフボールの移動経路は、ヘッド（２）の比重不均衡により逸脱することがなくなり、またヘッド（２）とボールの外径も一致しているため、使用者はスイング時により正確な打球ができ、命中率等も向上される。更に該ゴルフクラブは構造設計上、使用者の利き手にかかわらず簡単に上達できるものである。
【００１４】
図４、５に示したのは、本考案におけるヘッドの立体表示図と断面図である。当該ヘッド（２）は比重が異なる２種類の金属材料により構成される。そのうち比較的軽い金属材料により管状体（２１）が作られ、この管状体（２１）は一端が面取り部をなしている。また管状体両端の開口部は、機械加工の方式が用いられ、２ヶ所ある開口部は口径が管状体（２１）中央部の内壁より大きく、比重が比較的重い金属材料を設置するのに用いられる。また互いに重量が等しい円柱体（２２） ２つを管状体（２１）開口部の設計に合わせて作るので、はめ合わせの方式で２つの円柱体（２２）が管状体（２１）開口部に密着するように組み合わせ可能となる。これによりヘッド（２）両端の重量が等しくなる。また、面取り部に設けられた円柱体（２２）は、表面に複数の凹凸模様（２２１）を設け、打球時に更に強い摩擦力を発生させる。このためゴルフボールは飛行軌跡の曲率が大きくなり、加えて使用者がスイングした時、ゴルフボールはヘッド（２）に沿って直線方向に移動し、本来の経路から逸脱しにくくなるので、打球が更に正確になるのである。
【図面の簡単な説明】
【００１５】
【図１】周知のゴルフクラブを示した分解図である。
【図２】本考案であるゴルフクラブの立体完成図である。
【図３】本考案であるゴルフクラブの立体分解図である。
【図４】本考案のヘッドを示した立体表示図である。
【図５】本考案のヘッドを示した断面図である。
【符号の説明】
【００１６】
Ａ  シャフト部
Ｂ  連結湾曲管
Ｃ  パターヘッド 
Ｃ１  固定座
Ｃ２  接合穴
１  シャフト
１２  ネック
２１  管状体
２２１  凹凸模様
１１  グリップ
２  ヘッド
２２  円柱体
３  接合部品
【図１】
0003123570.tif 000003
【図２】
0003123570.tif 000004
【図３】
0003123570.tif 000005
【図４】
0003123570.tif 000006
【図５】
0003123570.tif 000007